(57)【要約】      （修正有）【課題】飛散した微小なインク滴の回収を好適に行うことことができる画像形成装置を提供する。【解決手段】記録媒体表面にインク滴を出力するプリントヘッド１３１を記録媒体Ｓに対して相対的に移動させるキャリッジ１３０を含む画像形成装置であって、装置本体に固定され、摩擦によって正の電荷を生じるプラス側帯電部材１３５及び負の電荷を生じるマイナス側帯電部材１３６と、キャリッジ１３０に固定され、キャリッジ１３０の移動によって帯電部との間に摩擦を生じるプラス側摺接部材１３２、マイナス側摺接部材１３３とを含む。【選択図】図５
2016020072.tif 000002
【特許請求の範囲】
【請求項１】
記録媒体表面にインク滴を出力するプリントヘッドを前記記録媒体に対して相対的に移動させるキャリッジを含む画像形成装置であって、
摩擦によって生じる帯電により前記プリントヘッドから出力されて飛散するインク滴を回収する飛散インク滴回収部を含み、
前記飛散インク滴回収部は、
前記キャリッジ及び前記画像形成装置本体のいずれか一方に固定され、摩擦によって電荷を生じる帯電部と、
前記キャリッジ及び前記画像形成装置本体のうち前記帯電部とは異なる側に固定され、前記キャリッジの移動によって前記帯電部との間に摩擦を生じる摺接部とを含み、
前記帯電部は、正極及び負極の電荷を生じるように２つ設けられていることを特徴とする画像形成装置。
【請求項２】
前記摺接部が前記キャリッジに固定され、前記帯電部が前記画像形成装置本体に固定されていることを特徴とする請求項１に記載の画像形成装置。
【請求項３】
前記キャリッジの移動による前記摺接部の移動経路において、正極の電荷を生じる前記帯電部と負極の電荷を生じる前記帯電部とが交互に配置されていることを特徴とする請求項２に記載の画像形成装置。
【請求項４】
前記摺接部は、前記帯電部に吸着された前記飛散インク滴を清掃する清掃部を含むことを特徴とする請求項１乃至３いずれか１項に記載の画像形成装置。
【請求項５】
前記画像形成装置の筐体の開閉に連動して移動し、前記筐体が開かれた状態において前記帯電部に接触することにより前記帯電部に生じた電荷を除去する除電部を含むことを特徴とする請求項１乃至４いずれか１項に記載の画像形成装置。
【請求項６】
前記キャリッジに固定されると共にシステムグランドに連結されたキャリッジ側導電部と、
前記帯電部と接触して固定された帯電部側導電部とを含み、
前記キャリッジ側導電部及び前記帯電部側導電部は、前記キャリッジが非稼働時において待機する待機位置に移動された状態において互いに接触することを特徴とする請求項１乃至４いずれか１項に記載の画像形成装置。
【請求項７】
記録媒体表面にインク滴を出力するプリントヘッドを前記記録媒体に対して相対的に移動させるキャリッジを含む画像形成装置における画像形成方法であって、
前記画像形成装置は、
画像形成出力において前記キャリッジを移動させることにより、前記キャリッジ及び前記画像形成装置本体のいずれか一方に固定され、摩擦によって電荷を生じる帯電部と、前記キャリッジ及び前記画像形成装置本体のうち前記帯電部とは異なる側に固定され、前記キャリッジの移動によって前記帯電部との間に摩擦を生じる摺接部との間に摩擦を生じさせて前記帯電部を帯電させ、
正極及び負極の電荷を生じるように２つ設けられている前記帯電部に生じた正極及び負極の電荷により摩擦によって生じる帯電により前記プリントヘッドから出力されて飛散するインク滴を回収することを特徴とする画像形成方法。
【発明の詳細な説明】
【技術分野】
【０００１】
本発明は、画像形成装置及び画像形成方法に関し、特に、用紙上を走査しながら液滴を吐出する画像形成装置において飛散した液滴の回収に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置のうち、電子化された書類の出力に用いられるプリンタにおいては、プリントヘッドが搭載されたキャリッジを主走査方向に移動させながらプリントヘッドからインクを吐出し、用紙を副走査方向に搬送することによって用紙の前面に画像を形成するインクジェット方式のプリンタが知られている。
【０００３】
このようなインクジェットプリンタにおいては、インクが吐出される際に用紙等の記録媒体に到達することなく霧状になって飛散した微小なインク（以降、「ミスト」とする）が発生する場合がある。このミストは、装置内の様々な部位に付着し、装置動作に悪影響を及ぼすこととなる。このような問題に対して、キャリッジを摩擦帯電させることにより、ミストを引き付けて回収する技術が提案されている（例えば、特許文献１参照）。
【発明の概要】
【発明が解決しようとする課題】
【０００４】
特許文献１に開示された技術の場合、キャリッジが帯電した極性と逆極性に帯電したミストは回収可能である。しかしながら、飛散したミストの帯電状態は正負のいずれの状態の可能性もあり、１極性に帯電されたミスト回収機構では、一方の極性に帯電したミストを回収することは可能であるが、他方の極性に帯電したミストを回収することは出来ない。
【０００５】
本発明は、上記実情を考慮してなされたものであり、記録媒体にインク滴を吐出する画像形成装置において、飛散した微小なインク滴の回収を好適に行うことを目的とする。
【課題を解決するための手段】
【０００６】
上記課題を解決するために、本発明の一態様は、記録媒体表面にインク滴を出力するプリントヘッドを前記記録媒体に対して相対的に移動させるキャリッジを含む画像形成装置であって、摩擦によって生じる帯電により前記プリントヘッドから出力されて飛散するインク滴を回収する飛散インク滴回収部を含み、前記飛散インク滴回収部は、前記キャリッジ及び前記画像形成装置本体のいずれか一方に固定され、摩擦によって電荷を生じる帯電部と、前記キャリッジ及び前記画像形成装置本体のうち前記帯電部とは異なる側に固定され、前記キャリッジの移動によって前記帯電部との間に摩擦を生じる摺接部とを含み、前記帯電部は、正極及び負極の電荷を生じるように２つ設けられていることを特徴とする。
【発明の効果】
【０００７】
本発明によれば、記録媒体にインク滴を吐出する画像形成装置において、飛散した微小なインク滴の回収を好適に行うことができる。
【図面の簡単な説明】
【０００８】
【図１】本発明の実施形態に係る画像形成装置の機能構成を示す図である。
【図２】本発明の実施形態に係る画像形成装置の一部の機械的構成を示す図である。
【図３】本発明の実施形態に係るインク滴の飛散態様を示す図である。
【図４】本発明の実施形態に係るミスト回収の原理を示す図である。
【図５】本発明の実施形態に係るミスト回収機構を示す図である。
【図６】本発明の実施形態に係るミスト回収機構を示す図である。
【図７】本発明の実施形態に係る画像形成装置の動作を示すフローチャートである。
【図８】本発明の実施形態に係るミスト回収機構を示す図である。
【図９】本発明の実施形態に係るミスト回収機構を示す図である。
【図１０】本発明の実施形態に係るミスト回収機構を示す図である。
【図１１】本発明の実施形態に係る外装カバーによる除電機構を示す図である。
【図１２】本発明の実施形態に係る帯電部材保持板及びキャリッジによる除電機構を示す図である。
【図１３】本発明の実施形態に係る除電機構を有する帯電部材保持板を示す図である。
【発明を実施するための形態】
【０００９】
以下、図面を参照して、本発明の実施形態を詳細に説明する。本実施形態においては、インク滴を吐出するプリントヘッドが搭載されたキャリッジを主走査方向に往復移動させながら紙面上にインク滴を吐出して画像形成出力を行うインクジェット方式のプリンタであって、キャリッジの帯電によって飛散したインク滴であるミストを回収するインクジェットプリンタを画像形成装置の例として説明する。
【００１０】
図１は、本実施形態に係る画像形成装置の全体構成を示すブロック図である。図１に示すように、本実施形態に係る画像形成装置１は、コントローラ１００、操作パネル１１０、キャリッジ１３０、主走査モータ１４０及び副走査モータ１５０を含む。
【００１１】
操作パネル１１０は、画像形成装置１に必要な情報の入力及び表示を行なうための操作部及び表示部として機能するユーザインタフェースである。キャリッジ１３０は、用紙表面に顕色剤であるインクを吐出するプリントヘッドが搭載されており、画像形成出力動作時に主走査方向に動かされる。
【００１２】
主走査モータ１４０は、キャリッジ１３０を主走査方向に動かすための動力を供給するモータである。副走査モータ１５０は、画像を形成する対象である用紙を副走査方向に搬送するための動力を供給するモータである。
【００１３】
コントローラ１００は、画像形成装置１の動作を制御する制御部であり、図１に示すように、ＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、ＮＶＲＡＭ（Ｎｏｎ  Ｖｏｌａｔｉｌｅ  ＲＡＭ）１４、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１５、ホストＩ／Ｆ１７、ＤＡＣ（Ｄｉｇｉｔａｌ  Ａｎａｌｏｇｕｅ  Ｃｏｎｖｅｒｔｅｒ）１８、ヘッド駆動部１９、ヘッド制御部２０、主走査モータ駆動部２１、副走査モータ駆動部２２を含む。
【００１４】
ＣＰＵ１１は演算手段であり、コントローラ１００各部の動作を制御する。ＲＯＭ１２は、読み出し専用の不揮発性記憶媒体であり、ファームウェア等のプログラムが格納されている。ＲＡＭ１３は、情報の高速な読み書きが可能な揮発性の記憶媒体であり、ＣＰＵ１１が情報を処理する際の作業領域として用いられる。ＮＶＲＡＭ１４は、情報の読み書きが可能な不揮発性の記憶媒体であり、制御プログラムや制御用のパラメータが格納される。
【００１５】
ＡＳＩＣ１５は、画像形成出力に際して必要な画像処理を実行するハードウェア回路である。ホストＩ／Ｆ１７は、ＰＣ（Ｐｅｒｓｏｎａｌ  Ｃｏｍｐｕｔｅｒ）等のホスト装置から印刷データを受信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。
【００１６】
ＤＡＣ１８は、デジタル情報をアナログ信号に変換する。ヘッド駆動部１９は、ＤＡＣ１８によって変換されたアナログ信号をキャリッジ１３０に入力してプリントヘッドを駆動する。ヘッド制御部２０は、画像形成出力するべき画像情報に基づいてプリントヘッドを制御する。主走査モータ駆動部２１及び副走査モータ駆動部２２は、それぞれ、ＣＰＵ１１の制御に従い、それぞれ主走査モータ１４０、副走査モータ１５０を駆動する。
【００１７】
ＰＣ等の情報処理装置、イメージスキャナ等の画像読取装置、デジタルカメラ等の撮像装置といったホスト側からの印刷データは、ホストＩ／Ｆ１７によって受信される。ＣＰＵ１１は、ホストＩ／Ｆ１７に含まれる受信バッファ内の印刷データを読み出して解析し、ＡＳＩＣ１５を制御して、画像形成出力の為に必要な画像処理やデータの並び替え処理等を実行させる。ＡＳＩＣ１５によって処理された画像データは、ＣＰＵ１１によってヘッド制御部２０に転送される。
【００１８】
なお、画像形成出力のためのドットパターンデータの生成は、例えばＲＯＭ１２にフォントデータを格納して行っても良いし、ホスト側のプリンタドライバで画像データをビットマップデータに展開して画像形成装置１に入力するようにしても良い。
【００１９】
ヘッド制御部２０は、プリントヘッドの１行分に相当する画像データ（ドットパターンデータ）を受け取ると、この１行分のドットパターンデータを、クロック信号に同期して、キャリッジ１３０にシリアルデータとして送出し、また所定のタイミングでラッチ信号をキャリッジ１３０に送出する。
【００２０】
ＤＡＣ１８は、ＲＯＭ１２に格納された駆動波形（ヘッド駆動信号）のパターンデータを読み取り、Ｄ／Ａ変換してアナログ信号の駆動波形を生成してヘッド駆動部１９に入力する。ヘッド駆動部１９は、ＤＡＣ１８から入力された駆動波形をキャリッジ１３０に入力する。
【００２１】
キャリッジ１３０は、ヘッド制御部２０から入力されるクロック信号及び画像データであるシリアルデータを保持するシフトレジスタと、シフトレジスタのレジスト値をヘッド制御部２０からのラッチ信号でラッチするラッチ回路と、ラッチ回路の出力値をレベル変化するレベル変換回路（レベルシフタ）と、このレベルシフタでオン／オフが制御されるアナログスイッチアレイ（スイッチ手段）等を含む。そして、キャリッジ１３０は、アナログスイッチアレイのオン／オフを制御することで、ヘッド駆動部１９から入力される駆動波形に含まれる所要の駆動波形を選択的にプリントヘッドのアクチュエータ手段に印加してプリントヘッドを駆動する。
【００２２】
次に、本実施形態に係る画像形成装置１における画像形成出力機構の機械的な構成について説明する。図２は、本実施形態に係る画像形成出力機構の機械的な構成を上面から見た状態を示す図である。図２に示すように、本実施形態に係る画像形成出力機構において、用紙Ｓは副走査モータ１５０によって駆動される搬送ローラ２０２と搬送ローラ２０２に従動して動作するテンションローラ２０３にかけ渡された搬送ベルト２０１によって搬送される。この搬送方向が副走査方向である。また、副走査モータ１５０、搬送ローラ２０２、副走査モータ１５０及び搬送ローラ２０２を連結するタイミングベルト及び搬送ベルト２０１が、用紙を搬送するための搬送機構である。
【００２３】
インクジェット方式の画像形成装置１に用いられるプリントヘッドはキャリッジ１３０に取り付けられている。このキャリッジ１３０は、主走査モータ１４０を駆動することで駆動プーリ２０４、従動プーリ２０７、タイミングベルト２０５によって用紙搬送方向とは直角な方向にガイドロッド２０６上を往復移動する。またキャリッジ１３０にはインクカートリッジ２０９からプリントヘッドにインクを供給するためのインクチューブ２０８が接続されている。
【００２４】
シリアル方式のインクジェットプリンタは、このキャリッジ１３０の走査と用紙の搬送とを繰り返すことで、用紙全面への印刷を行う。このキャリッジ１３０の走査制御において、用紙に着弾することなく微小な粒子となって飛散したインク滴であるミストを回収することが本実施形態に係る要旨である。
【００２５】
図３（ａ）〜（ｄ）は、キャリッジ１３０に搭載された記録ヘッドのインク液滴吐出動作について示す図である。図３（ａ）は、吐出動作前の図である。図３（ａ）に示すように、吐出動作前において、インク液はノズル内でメニスカスを形成している。図３（ｂ）は、液滴吐出動作開始時の図である。図３（ｂ）に示すように、ノズルが膨張等して内部のインクが圧縮されることにより、インク液がノズル内から徐々に押し出されてくる。
【００２６】
図３（ｃ）は、液滴吐出動作中の図である。図３（ｃ）に示すように、ノズル内から押し出されたインク液は細長くなり、自重によってノズル口から垂れ下がるような形になる。図３（ｄ）は記録ヘッドの液滴吐出動作完了後の図である。図３（ｃ）の段階で細長く垂れ下がっていたインク液は、図３（ｄ）に示すように主滴と微小滴に分離される。この時に分離された微小滴がミストとなる。また、ノズル内のインクはメニスカスを保持する。
【００２７】
次に、図４（ａ）を参照してミスト回収の原理について説明する。図３（ｄ）に示すように発生したミストは、正負いずれかの極性に帯電している。図４（ａ）においては、ミストが負極に帯電している場合を例としている。この場合、図４（ａ）に示すように、正極に帯電した回収機構によりミストを引き付けて回収することが可能である。
【００２８】
しかしながら、ミストの帯電は正負のいずれの場合も起こり得る。従って、図４（ｂ）に示すように、正極に帯電しているミストが発生した場合において、回収機構の帯電が正極であると、ミストは回収機構に反発して更に飛散してしまう。このような問題を解決することが本実施形態に係る要旨である。
【００２９】
図５、図６は、本実施形態に係るキャリッジ１３０及びその周辺に設けられるミスと回収機構を示す図であり、図５は、キャリッジの移動方向から見た状態を、図６は、用紙Ｓの搬送方向から見た状態を夫々示す図である。キャリッジ１３０には、インク液を吐出する記録ヘッド１３１ａ、１３１ｂ及びキャリッジ１３０の移動位置を認識するためのエンコーダシート１３７を読み取るエンコーダシート読取部１３４に加えて、プラス側摺接部１３２及びマイナス側摺接部１３３が設けられている。
【００３０】
プラス側帯電部材１３５及びマイナス側帯電部材１３６は、画像形成装置１の筐体に支持されテイル。そして、プラス側摺接部材１３２は、プラス側帯電部材１３５に接触しており、マイナス側摺接部材１３３は、マイナス側帯電部材１３６に接触している。また、プラス側帯電部材１３５及びマイナス側帯電部材１３６は、ガイドロッド２０６に沿ったキャリッジ１３０の移動方向に沿って配置されている。
【００３１】
従って、画像形成動作においてキャリッジ１３０がガイドロッド２０６に沿って移動すると、プラス側摺接部材１３２は、プラス側帯電部材１３５に接触した状態で移動し、マイナス側摺接部材１３３は、マイナス側帯電部材１３６に接触した状態で移動する。その結果、プラス側帯電部材１３５、マイナス側帯電部材１３６夫々に電荷が発生する。
【００３２】
ここで、プラス側摺接部材１３２の素材は例えば絹の布であり、プラス側帯電部材１３５の素材は例えばガラスである。これにより、プラス側帯電部材１３５はキャリッジ１３０の移動によってプラスに帯電する。また、マイナス側摺接部材１３３の素材は例えば毛布であり、マイナス側帯電部材１３６の素材は例えばエボナイトである。これにより、マイナス側帯電部材１３６はキャリッジの１３０の移動によってマイナスに帯電する。
【００３３】
このように、本実施形態に係る画像形成装置１においては、画像形成動作においてキャリッジ１３０がガイドロッド２０６に沿って移動することにより、プラス側帯電部材１３５が正極に、マイナス側帯電部材１３６が負極に夫々帯電する。従って、図３（ｄ）に示すように発生したミストの帯電極性として正極、負極が混在していたとしても、正極に帯電したミストはマイナス側帯電部材１３６に、負極に帯電したミストはプラス側帯電部材１３５に、夫々引き寄せられて回収される。このため、図４（ｂ）において説明した課題を解決することが出来る。
【００３４】
即ち、本実施形態においては、プラス側脩節部材１３２、マイナス側摺接部材１３３、プラス側帯電部材１３５及びマイナス側帯電部材１３６がインク滴回収部として機能する。
【００３５】
尚、プラス側摺接部材１３５及びマイナス側摺接部材１３６には、それぞれプラス側帯電部材１３５、マイナス側帯電部材１３６に吸着されたミストを清掃するための清掃部となるクリーニング機構を設けることが好ましい。これにより、キャリッジ１３０の移動によって帯電部材が自動的に清掃され、ミストの吸着によって帯電効果を維持することが出来る。
【００３６】
次に、本実施形態に係る画像形成装置１の画像形成動作について説明する。図７は、本実施形態に係る画像形成動作を示すフローチャートである。図７に示すように、画像形成動作に際しては、ＰＣ等のホスト装置から画像形成出力するべき画像データが画像形成装置１に対して入力される（Ｓ７０１）。Ｓ７０１においては、図１において説明したように、ホストＩ／Ｆ１７を介して画像データが入力される。
【００３７】
画像データが入力されると、ＣＰＵ１１が印字制御を開始し（Ｓ７０２）、主走査モータ駆動部２１を制御して主走査モータ１４０を駆動することにより、キャリッジ１３０の移動制御行う（Ｓ７０３）。これにより、図６において説明したように、プラス側摺接部材１３２がプラス側帯電部材１３５と擦り合わされると共にマイナス側摺接部材１３３がマイナス側帯電部材１３６と擦り合わされ、帯電が開始される。
【００３８】
このＳ７０３の処理によって発生した電荷により、上述したように、印字処理によって発生したミストがプラス側帯電部材１３５、マイナス側帯電部材１３６のいずれかに引き寄せられて回収される。
【００３９】
ＣＰＵ１１は、入力された画像データの印字が完了するまで印字制御を継続し（Ｓ７０４／ＮＯ）、入力された画像データの印字が完了すると（Ｓ７０４／ＹＥＳ）、主走査モータ駆動部２１を制御して主走査モータ１４０を駆動することにより、キャリッジ１３０のホーミング動作を行い（Ｓ７０５）、処理を終了する。このような動作により、本実施形態に係る画像形成装置１における画像形成動作が完了する。
【００４０】
以上、説明したように、本実施形態に係る画像形成装置１によれば、正極、負極のいずれに帯電したミストであっても回収可能であるため、記録媒体にインク滴を吐出する画像形成装置において、飛散した微小なインク滴の回収を好適に行うことが出来る。
【００４１】
尚、上記実施形態においては、図５、図６に示すように、プラス側帯電部材１３５及びマイナス側帯電部材１３６夫々について摺接部材を設ける場合を例として説明した。しかしながらこれは一例であり、キャリッジ１３０の移動によって擦られることにより正極に帯電する部分と負極に帯電する部分とが構成されれば良い。
【００４２】
図５、図６とは異なる他の例として、１つの摺接部材によってプラス側帯電部材１３５及びマイナス側帯電部材１３６を擦る場合の例を説明する。図８、図９は、夫々図５、図６に対応する図であり、１つの摺接部材によってプラス側帯電部材１３５及びマイナス側帯電部材１３６を擦る場合の例を示す図である。
【００４３】
図８、図９の例においては、図８に示すように、キャリッジ１３０に対して摺接部材として共通摺接部材１３８が１つのみ設けられている。そして、図９に示すように、プラス側帯電部材１３５及びマイナス側帯電部材１３６の両方が共通摺接部材１３８と擦り合わされるように配置されている。
【００４４】
図１０は、プラス側帯電部材１３５及びマイナス側帯電部材１３６と、共通摺接部材１３８によって擦られる部分とを示す図である。図１０においては、プラス側帯電部材１３５及びマイナス側帯電部材１３６の表面において、共通摺接部材１３８が接触する範囲を破線で囲って示している。
【００４５】
図１０に示すように、プラス側帯電部材１３５及びマイナス側帯電部材１３６はかぎ型が連続する形状で形成され、夫々のかぎ部分が噛み合うように配置されている。従って、共通摺接部材１３８は、キャリッジ１３０の移動に伴って移動することにより、プラス側帯電部材１３５とマイナス側帯電部材１３６とに交互に接触し、その表面を擦る。これにより、１つの摺接部材によってプラス側帯電部材１３５及びマイナス側帯電部材１３６の両方に摩擦を発生させることが出来る。
【００４６】
プラス側帯電部材１３５の素材は例えばガラスであり、マイナス側帯電部材１３６の素材は例えばエボナイトである。これに対して、共通摺接部材１３８の素材を例えば木綿とすることにより、１つの摺接部材でプラス側帯電部材１３５を正極に、マイナス側帯電部材１３６を負極に夫々帯電させることが可能となる。
【００４７】
また、上記実施形態においては、キャリッジ側に摺接部材を設け、装置筐体側に正極及び負極の帯電部材を固定する場合を例として説明した。しかしながらこれは一例であり、キャリッジ１３０の移動によって発生する摩擦により、正極及び負極の帯電を生成することが本実施形態に係る要旨である。
【００４８】
従って、摺接部材と帯電部材との配置を逆にし、キャリッジ１３０側に帯電部材を固定すると共に画像形成装置１の筐体側に摺接部材を固定するようにしても良い。これによっても、摺接部材と帯電部材とが接触する構成であれば、キャリッジ１３０の移動によって摩擦が生じ、上記と同様に正極及び負極の帯電を発生することが出来る。
【００４９】
但し、画像形成装置１の筐体側に設ける構成は、キャリッジ１３０の移動範囲、即ち主走査方向の広範囲にわたって設けることが可能であるため、装置筐体側に帯電部材を固定することにより、帯電によってミストを吸着する範囲を広く形成することが出来る。
【００５０】
次に、プラス側帯電部材１３５及びマイナス側帯電部材１３６の電荷を除電するための構成について説明する。図１１（ａ）、（ｂ）は、画像形成装置１の筐体の一部を構成し、筐体を開閉するための外装カバー３００によって除電を行う態様を示す図であり、図１１（ａ）は、外装カバー３００が閉じた状態を、図１１（ｂ）は外装カバー３００が開いた状態を夫々示す。
【００５１】
外装カバー３００には、キャリッジ１３０に向けて突出した凸部３０１が設けられている。凸部３０１は、例えばアルミテープが貼り付けられることにより導電性が高められている。また、凸部３０１はシステムグランドに連結されている。
【００５２】
図１１（ａ）に示すように、外装カバー３００が閉じている状態、即ち、画像形成出力が実行される可能性のある状態において、凸部３０１はプラス側帯電部材１３５及びマイナス側帯電部材１３６には接触しないように配置されている。そして、外装カバー３００が開かれると、図１１（ｂ）に示すように、２つの凸部３０１が夫々プラス側帯電部材１３５及びマイナス側帯電部１３６に接触し、夫々に帯電している電荷が凸部３０１を介して除電される。即ち、凸部３０１が除電部として機能する。
【００５３】
図１２（ａ）、（ｂ）は、キャリッジ１３０に除電機構を設ける態様を示す図であり、図１２（ａ）はキャリッジ１３０が移動している状態を、図１２（ｂ）はキャリッジ１３０がホーミングされた状態を示す。キャリッジ１３０には、除電のための構成として導電部１３９が設けられる。導電部１３９はシステムグランドに連結されている。即ち、導電部１３９がキャリッジ側導電部として機能する。
【００５４】
他方、図１３の例においては、プラス側帯電部材１３５およびマイナス側帯電部材１３６を支持する帯電部材保持板４００に、導電部材４０１が設けられている。図１３は、帯電部材保持板４００に支持されたプラス側帯電部材１３５およびマイナス側帯電部材１３６並びに導電部４０１を示す図である。
【００５５】
図１３に示すように、帯電部材保持板４００には、プラス側帯電部材１３５及びマイナス側帯電部材１３６が支持されており、且つ帯電部材保持板４００には、プラス側帯電部材１３５およびマイナス側帯電部材１３６夫々に接触して配置された導電部４０１が支持されている。即ち、導電部４０１が筐体側導電部として機能する。
【００５６】
そして、図１２（ｂ）に示すように、キャリッジ１３０がホーミングされ、非稼働時において待機する待機位置に位置した場合、キャリッジ１３０の導電部１３９と帯電部材保持板４００の導電部４０１とが互いに接触する。これにより、プラス側帯電部材１３５及びマイナス側帯電部材１３６に帯電した電荷が導電部４０１及び導電部１３９を介してシステムグランドにショートされ、除電される。
【符号の説明】
【００５７】
１  画像形成装置
１１  ＣＰＵ
１２  ＲＯＭ
１３  ＲＡＭ
１４  ＮＶＲＡＭ
１５  ＡＳＩＣ
１７  ホストＩ／Ｆ
１８  ＤＡＣ
１９  ヘッド駆動部
２０  ヘッド制御部
２１  主走査モータ駆動部
２２  副走査モータ駆動部
１００  コントローラ
１１０  操作パネル
１３０  キャリッジ
１３１、１３１ａ、１３１ｂ  記録ヘッド
１３２  プラス側摺接部材
１３３  マイナス側摺接部材
１３４  エンコーダシート読取部
１３５  プラス側帯電部材
１３６  マイナス側帯電部材
１３７  エンコーダシート
１３８  共通摺接部材
１４０  主走査モータ
１５０  副走査モータ
２０１  搬送ベルト
２０２  搬送ローラ
２０３  テンションローラ
２０４  駆動プーリ
２０５  タイミングベルト
２０６  ガイドロッド
２０７  従動プーリ
２０８  インクチューブ
２０９  インクカートリッジ
【先行技術文献】
【特許文献】
【００５８】
【特許文献１】特開２００６−２０５４３４号公報
【図１】
2016020072.tif 000003
【図２】
2016020072.tif 000004
【図３】
2016020072.tif 000005
【図４】
2016020072.tif 000006
【図５】
2016020072.tif 000007
【図６】
2016020072.tif 000008
【図７】
2016020072.tif 000009
【図８】
2016020072.tif 000010
【図９】
2016020072.tif 000011
【図１０】
2016020072.tif 000012
【図１１】
2016020072.tif 000013
【図１２】
2016020072.tif 000014
【図１３】
2016020072.tif 000015